(57)【要約】      （修正有）【課題】屋根瓦設置現場での作業負担と端材の発生を低減する屋根瓦を提供する。【解決手段】桟木は、屋根面５１の軒部側の端縁を基点として、軒部から棟部５２に向かう方向に沿って、屋根瓦１０１の働き寸法に一致する配置間隔Ｓ１毎に屋根面５１上に固定される（桟木５３ａ，５３ｂ参照）。屋根瓦１０１は、その係止部１２１を、配置間隔Ｓ１毎に配置された桟木に引っ掛けて設置される。なお、軒部から棟部５２までの長さが屋根瓦１０１の働き寸法の整数倍でないため、棟部５２に最も近い位置に設置された桟木５３ｃと、桟木５３ｃに隣接する桟木５３ｂとの間の距離Ｓ２（以下、棟部桟木距離Ｓ２という）が、屋根瓦１０１の働き寸法より短くなる。利足調整瓦１は、その働き寸法が棟部桟木距離Ｓ２に一致するように形成されているため、その係止部２１を桟木５３ｃに引っ掛けることにより、棟際に設置することができる。【選択図】図３
0003162295.tif 000002
【実用新案登録請求の範囲】
【請求項１】
屋根面に固定された桟木に係止することにより、屋根面上における棟際または壁際に設置される屋根瓦であって、
前記屋根面に固定された複数の前記桟木のうち、前記棟際または前記壁際からの距離が最も短い桟木を第１近接桟木とし、前記第１近接桟木の次に前記棟際または前記壁際からの距離が短い前記桟木を第２近接桟木として、前記第１近接桟木と前記第２近接桟木との間の配置間隔は、その他の前記桟木間の配置間隔よりも短く、
当該屋根瓦の働き寸法が、前記第１近接桟木と前記第２近接桟木との間の配置間隔に一致するように予め成型されている
ことを特徴とする屋根瓦。
【考案の詳細な説明】
【技術分野】
【０００１】
本発明は、建築物の屋根に設置される屋根瓦に関する。
【背景技術】
【０００２】
建築物の屋根に屋根瓦を設置する方法としては、断面が矩形状で長尺状の部材である桟木を複数、軒部から棟部に向かう方向に沿って、屋根瓦の働き寸法に一致する所定間隔毎に、長尺方向が軒部に平行になるようにして屋根表面上に固定し、その後、屋根瓦の裏面に設けられた突起部を桟木に引っ掛けて屋根瓦を桟木に固定する方法が一般的である（例えば、特許文献１を参照）。
【先行技術文献】
【特許文献】
【０００３】
【特許文献１】特開２００７−１３８４７４号公報
【考案の概要】
【考案が解決しようとする課題】
【０００４】
しかしながら、軒部から棟部までの長さが屋根瓦の働き寸法の整数倍でない場合には、棟部に最も近い位置に設置された桟木（以下、棟部桟木という）と棟部桟木に隣接する桟木との間の距離（以下、棟部桟木距離という）が、屋根瓦の働き寸法より短くなる。
【０００５】
このため、棟部桟木に引っ掛けて固定される屋根瓦（以下、棟部屋根瓦という）の働き寸法を棟部桟木距離に一致させるために、棟部屋根瓦の一部をダイヤモンドカッター等で切断する作業を行う必要がある。
【０００６】
この切断作業は屋根瓦１枚につき数分の時間を要するため、何十枚もの屋根瓦について切断作業を行うと、作業負担が大きくなるという問題があった。また、棟部屋根瓦を切断することにより、屋根瓦の端材が作業現場で発生してしまうという問題があった。
【０００７】
本考案は、こうした問題に鑑みてなされたものであり、屋根瓦設置現場での作業負担と屋根瓦の端材の発生を低減する技術を提供することを目的とする。
【課題を解決するための手段】
【０００８】
上記目的を達成するためになされた請求項１に記載の考案は、屋根面に固定された桟木に係止することにより、屋根面上における棟際または壁際に設置される屋根瓦であって、屋根面に固定された複数の桟木のうち、棟際または壁際からの距離が最も短い桟木を第１近接桟木とし、第１近接桟木の次に棟際または壁際からの距離が短い桟木を第２近接桟木として、第１近接桟木と第２近接桟木との間の配置間隔は、その他の桟木間の配置間隔よりも短く、当該屋根瓦の働き寸法が、第１近接桟木と第２近接桟木との間の配置間隔に一致するように予め成型されていることを特徴とする。
【０００９】
このように構成された屋根瓦は、その働き寸法が、棟際または壁際に固定されている桟木の配置間隔（すなわち、第１近接桟木と第２近接桟木との間の配置間隔）に一致しているため、当該屋根瓦の一部を切断することなく、そのまま、棟際または壁際に最も近い桟木に係止して棟際または壁際に固定することができる。
【００１０】
すなわち、第１近接桟木と第２近接桟木との間の配置間隔（以下、際桟木間隔という）が、その他の桟木間の配置間隔より短い場合であっても、際桟木間隔が予め判っているときには、働き寸法が際桟木間隔に一致する屋根瓦（すなわち、請求項１に記載の屋根瓦）を予め用意しておくことで、棟際または壁際に屋根瓦を設置するために屋根瓦の一部を切断する作業が不要となり、屋根瓦設置現場での作業負担と屋根瓦の端材の発生を低減することができる。さらに、屋根瓦切断作業が不要となることで現場管理を簡略化することができる。また、端材の発生を低減することができるため、環境に良い屋根瓦を提供することができる。
【図面の簡単な説明】
【００１１】
【図１】利足調整瓦１の斜視図である。
【図２】利足調整瓦１の平面図、正面図、および左側面図である。
【図３】棟際での屋根瓦の施工状態を示す側面図である。
【図４】壁際での屋根瓦の施工状態を示す側面図である。
【図５】上型８０の平面図、およびＡ−Ａ断面部を示す図である。
【図６】下型９０の平面図、およびＡ−Ａ断面部を示す図である。
【考案を実施するための形態】
【００１２】
以下に本考案の実施形態について図面とともに説明する。
図１は本実施形態の利足調整瓦１の斜視図である。図２（ａ）は利足調整瓦１の平面図、図２（ｂ）は利足調整瓦１の正面図、図２（ｃ）は利足調整瓦１の左側面図である。
【００１３】
利足調整瓦１は、図１及び図２に示すように、平面略矩形の板状に形成されている（図２（ａ）を参照）。
そして利足調整瓦１は、左短辺１２側で隣接する利足調整瓦１の一部を収納するための空間Ｓが形成されるように、長手方向Ｄ１に沿って湾曲している（図２（ｂ）を参照）。
【００１４】
また、利足調整瓦１の裏面１６には、上長辺１３の近傍に、長手方向Ｄ１に沿って、桟木に引っ掛けるために突出した係止部２１が設けられている（図２（ｃ）を参照）。さらに、利足調整瓦１の上長辺１３の近傍には、桟木に引っ掛けられた利足調整瓦１を桟木に固定するための釘が挿入される貫通孔である釘穴２２が設けられる（図２（ａ）を参照）。
【００１５】
図３は、棟際での屋根瓦の施工状態を示す側面図である。図４は、壁際での屋根瓦の施工状態を示す側面図である。
図３に示すように、桟木５３は、屋根面５１の軒部（不図示）側の端縁を基点として、軒部から棟部５２に向かう方向に沿って、屋根瓦１０１の働き寸法に一致する配置間隔Ｓ１毎に、桟木５３の長尺方向が軒部の端縁に平行になるようにして屋根面５１上に固定される（図３の桟木５３ａ，５３ｂを参照）。そして屋根瓦１０１は、その係止部１２１を、配置間隔Ｓ１毎に配置された桟木５３（図３では、桟木５３ａ，５３ｂ）に引っ掛けて桟木５３に固定することにより設置される。
【００１６】
なお、軒部から棟部５２までの長さが屋根瓦１０１の働き寸法の整数倍でないため、棟部５２に最も近い位置に設置された桟木５３ｃと、桟木５３ｃに隣接する桟木５３ｂとの間の距離Ｓ２（以下、棟部桟木距離Ｓ２という）が、屋根瓦１０１の働き寸法より短くなる。
【００１７】
そして、利足調整瓦１は、その働き寸法が棟部桟木距離Ｓ２に一致するように形成されている。このため、利足調整瓦１の係止部２１を桟木５３ｃに引っ掛けて桟木５３ｃに固定することにより、棟際に利足調整瓦１を設置することができる。
【００１８】
図４に示すように、桟木６３は、屋根面６１の軒部（不図示）側の端縁を基点として、軒部から壁部６２に向かう方向に沿って、屋根瓦１０１の働き寸法に一致する配置間隔Ｓ１１毎に、桟木６３の長尺方向が軒部の端縁に平行になるようにして屋根面６１上に固定される（図４の桟木６３ａ，６３ｂを参照）。そして屋根瓦１０１は、その係止部１２１を、配置間隔Ｓ１１毎に配置された桟木６３（図４では、桟木６３ａ，６３ｂ）に引っ掛けて桟木６３に固定することにより設置される。
【００１９】
なお、軒部から壁部６２までの長さが屋根瓦１０１の働き寸法の整数倍でないため、壁部６２に最も近い位置に設置された桟木６３ｃと、桟木６３ｃに隣接する桟木６３ｂとの間の距離Ｓ１２（以下、壁部桟木距離Ｓ１２という）が、屋根瓦１０１の働き寸法より短くなる。
【００２０】
そして、利足調整瓦１は、その働き寸法が壁部桟木距離Ｓ１２に一致するように形成されている。このため、利足調整瓦１の係止部２１を桟木６３ｃに引っ掛けて桟木６３ｃに固定することにより、壁際に利足調整瓦１を設置することができる。
【００２１】
図５（ａ）は上型８０の平面図である。図５（ｂ）は上型８０のＡ−Ａ断面部を示す図である。図６（ａ）は下型９０の平面図である。図６（ｂ）は下型９０のＡ−Ａ断面部を示す図である。
【００２２】
上型８０と下型９０は、働き寸法が異なる３種類の利足調整瓦１を成型可能に構成されている。
まず、上型８０は、図５（ａ），（ｂ）に示すように、その成型面８１上において、利足調整瓦１の下長辺１４（図２を参照）を形成するために成型面８１から突出する下長辺壁８２が設けられている。
【００２３】
さらに、成型面８１には、利足調整瓦１の上長辺１３を形成するための溝（以下、上長辺溝という）８３ａ，８３ｂ，８３ｃが形成されている。上長辺溝８３ａ，８３ｂ，８３ｃは、溝の長手方向が下長辺壁８２に平行になるように形成され、上長辺溝８３ａ，８３ｂ，８３ｃはそれぞれ、予め設定された３種類の働き寸法に対応するように、下長辺壁８２との距離が設定されている（図５の距離Ｌ１，２，３を参照）。
【００２４】
また、成型面８１には、利足調整瓦１に釘穴２２を形成するための有底穴８４ａ，８４ｂ，８４ｃが設けられている。有底穴８４ａ，８４ｂ，８４ｃはそれぞれ、上長辺溝８３ａ，８３ｂ，８３ｃに対応して上長辺溝８３ａ，８３ｂ，８３ｃの近傍に設けられている。
【００２５】
次に、下型９０は、図６（ａ），（ｂ）に示すように、その成型面９１上において、利足調整瓦１の上長辺１３を形成するために突出する壁（以下、上長辺壁という）９２ａ，９２ｂ，９２ｃが設置されている。上長辺壁９２ａ，９２ｂ，９２ｃは、その長手方向が成型面９１の下端縁９３に平行になるように形成され、上長辺壁９２ａ，９２ｂ，９２ｃはそれぞれ、予め設定された３種類の働き寸法に対応するように、下端縁９３との距離が設定されている（図６の距離Ｌ１１，１２，１３を参照）。
【００２６】
さらに、成型面９１には、利足調整瓦１の係止部２１を形成するための溝（以下、係止部溝という）９４ａ，９４ｂ，９４ｃが、それぞれ上長辺壁９２ａ，９２ｂ，９２ｃに隣接して形成されている。また、係止部２１の長さを設定するために成型面９１上に設けられる板状の台座部９５ａ，９５ｂ，９５ｃが、それぞれ９４ａ，９４ｂ，９４ｃに隣接して設置される。
【００２７】
なお、上長辺壁９２ａ，９２ｂ，９２ｃおよび台座部９５ａ，９５ｂ，９５ｃはそれぞれ、ネジ９６およびネジ９７により成型面９１に対して着脱可能に取り付けられる。
このように構成された上型８０と下型９０を用いて、働き寸法が異なる３種類の利足調整瓦１を成型する方法を以下に説明する。
【００２８】
まず、働き寸法が異なる３種類のうち所望の働き寸法の利足調整瓦１に対応しない上長辺溝８３と有底穴８４と係止部溝９４を金属パテにより埋めるとともに、対応しない上長辺壁９２および台座部９５を取り外す。例えば、働き寸法が異なる３種類の利足調整瓦１の中で働き寸法が最も長い利足調整瓦１を成型する場合には、まず、上型８０について、上長辺溝８３ａ，８３ｂと有底穴８４ａ，８４ｂを形成する凹部を金属パテにより埋めるとともに、下型９０について、係止部溝９４ａ，９４ｂを形成する凹部を金属パテにより埋める。さらに、下型９０について、上長辺壁９２ａ，９２ｂおよび台座部９５ａ，９５ｂを成型面９１から取り外す。
【００２９】
その後、下型９０の成型面９１上に屋根瓦用原料を投入し、下型９０の成型面９１と上型８０の成型面８１とが対向するようにして屋根瓦用原料を上型８０と下型９０とで挟持し、加圧することにより利足調整瓦１を成型する。
【００３０】
このように構成された利足調整瓦１は、屋根面５１（６１）に固定された桟木５３（６３）に係止することにより、屋根面５１（６１）上における棟際（壁際）に設置される屋根瓦であって、利足調整瓦１の働き寸法が、棟際（壁際）からの距離が最も短い桟木５３ｃ（６３ｃ）と、桟木５３ｃ（６３ｃ）の次に棟際（壁際）からの距離が短い桟木５３ｂ（６３ｂ）との間の配置間隔に一致するように予め成型されている。
【００３１】
このように構成された利足調整瓦１は、その働き寸法が、棟際（壁際）に固定されている桟木の配置間隔（すなわち、桟木５３ｃ（６３ｃ）と桟木５３ｂ（６３ｂ）との間の配置間隔）に一致しているため、利足調整瓦１の一部を切断することなく、そのまま、棟際（壁際）に最も近い桟木５３ｃ（６３ｃ）に係止して棟際（壁際）に固定することができる。
【００３２】
すなわち、桟木５３ｃ（６３ｃ）と桟木５３ｂ（６３ｂ）との間の配置間隔（以下、際桟木間隔という）が、その他の桟木間の配置間隔より短い場合であっても、際桟木間隔が予め判っているときには、働き寸法が際桟木間隔に一致する利足調整瓦１を予め用意しておくことで、棟際（壁際）に屋根瓦を設置するために屋根瓦の一部を切断する作業が不要となり、屋根瓦設置現場での作業負担と屋根瓦の端材の発生を低減することができる。さらに、屋根瓦切断作業が不要となることで現場管理を簡略化することができる。また、端材の発生を低減することができるため、環境に良い屋根瓦を提供することができる。
【００３３】
以上説明した実施形態において、利足調整瓦１は本発明における屋根瓦、桟木５３ｃ，６３ｃは本発明における第１近接桟木、桟木５３ｂ，６３ｂは本発明における第２近接桟木である。
【００３４】
以上、本発明の一実施例について説明したが、本発明は上記実施例に限定されるものではなく、本発明の技術的範囲に属する限り種々の形態を採ることができる。
例えば上記実施形態においては、働き寸法が異なる３種類の利足調整瓦１を成型可能に構成された上型８０および下型９０を示したが、利足調整瓦１の種類数はこれに限定されるものではなく、１種類または２種類でもよいし４種類以上であってもよい。
【００３５】
また上記実施形態においては、長手方向Ｄ１に沿って湾曲している形状の利足調整瓦１を示したが、利足調整瓦１の形状はこれに限定されるものではなく、例えば、平板瓦であってもよい。
【符号の説明】
【００３６】
１…利足調整瓦、２１…係止部、２２…釘穴、５１…屋根面、５２…棟部、５３…桟木、６１…屋根面、６２…壁部、６３…桟木、８０…上型、９０…下型
【図１】
0003162295.tif 000003
【図２】
0003162295.tif 000004
【図３】
0003162295.tif 000005
【図４】
0003162295.tif 000006
【図５】
0003162295.tif 000007
【図６】
0003162295.tif 000008